(57)【特許請求の範囲】
【請求項１】
コンテナハウスの屋根上に固定具を配し、該固定具に固定して架設したシャフトに遮熱シートを固定、張設するようにした遮熱シートの取付構造であって、
上記シャフトを固定するシャフト固定部と、上記コンテナハウスの屋根に固定される土台部とを備えた固定具を有した構造とされ、
上記固定具の土台部は、上記コンテナハウスの端部突出部にビス止めされる取付部と、該取付部に隣接する載置部とを少なくとも有した構成とされ、上記コンテナハウスの屋根に固着されており、その固着された上記土台部の上記取付部の上に、水切りカバーが、その一端が上記載置部側に折り曲げられ、他端が上記コンテナハウスの側面に接するように折り曲げられて配設されるとともに、上記シャフト固定部に固定されたシャフトに上記遮熱シートが巻回、固定される構造となっていることを特徴とする遮熱シートの取付構造。
【請求項２】
請求項１において、
上記シャフト固定部と、上記土台部とは別体に形成され、固着して一体化されている遮熱シートの取付構造。
【請求項３】
請求項１において、
上記固定具は板体を折曲してなる遮熱シートの取付構造。
【請求項４】
請求項１〜３のいずれか１項において、
上記遮熱シートを上記シャフトに固定するシート固定具を有した構造とされ、
上記シート固定具は、上記シャフトの胴部に上記遮熱シートを挟んだ状態で嵌合するシャフト嵌合体と、上記シャフト嵌合体を取り付けた状態でその外周部を固定するバンド体とよりなる遮熱シートの取付構造。
【発明の詳細な説明】
【技術分野】
【０００１】
本発明は、コンテナハウスの屋根上に固定、張設される遮熱シートの取付構造に関する。
【背景技術】
【０００２】
この種のコンテナハウスは、作業現場の現場事務所やトランクルーム等に使用されるように、主に屋外に移動可能に設置される。また、その輸送はトレーラーによってなされる。
【０００３】
したがって、コンテナハウスは風雨に晒されやすく、振動も受けやすいため、耐震、耐風雨構造等、頑丈で風雨に強い構造に形成されている。
【０００４】
一方、移動を頻繁に行うという性質上、軽量かつシンプルですっきりとした形状、構造とすることが求められており、そのため一般住宅等で用いられる断熱材が使用されることはなく、そのままでは遮熱性はほとんどないものが通例である。
【０００５】
コンテナハウスの遮熱対策としては、種々の建築物の波形屋根（折板屋根）用に使用される遮熱シートをコンテナハウスの屋根上に後付けすることが想定できるが、この種の遮熱シートは、波形屋根用の固定具を介して波形屋根へ取り付けるようになっているため、その取付構造をそのままコンテナハウスの屋根に適用することはできない。
【０００６】
すなわち、この固定具は、波形屋根の屋根材の端部を連結した連結山部において屋根材連結のために上方に突出したボルト体またはハゼ部に対して取り付けられるようになっているため（特許文献１参照）、そのようなボルト体やハゼ部が突出していないコンテナハウスへ、波形屋根用に使用していた遮熱シートを適用することは容易ではない。
【先行技術文献】
【特許文献】
【０００７】
【特許文献１】特開２０１０−１１２００７号公報
【発明の概要】
【発明が解決しようとする課題】
【０００８】
本発明は、このような事情を考慮して提案されたもので、その目的は、遮熱シートをコンテナハウスの屋根に簡単、確実に取り付けることのできる遮熱シートの取付構造を提供することにある。
【課題を解決するための手段】
【０００９】
上記目的を達成するために、請求項１に記載の遮熱シートの取付構造は、コンテナハウスの屋根上に固定具を配し、該固定具に固定して架設したシャフトに遮熱シートを固定、張設するようにした遮熱シートの取付構造であって、シャフトを固定するシャフト固定部と、コンテナハウスの屋根に固定される土台部とを備えた固定具を有した構造とされ、固定具の土台部は、コンテナハウスの端部突出部にビス止めされる取付部と、該取付部に隣接する載置部とを少なくとも有した構成とされ、コンテナハウスの屋根に固着されており、その固着された土台部の取付部の上に、水切りカバーが、その一端が載置部側に折り曲げられ、他端がコンテナハウスの側面に接するように折り曲げられて配設されるとともに、シャフト固定部に固定されたシャフトに遮熱シートが巻回、固定される構造となっていることを特徴とする。
【００１０】
請求項２に記載の遮熱シートの取付構造は、シャフト固定部と、土台部とは別体に形成され、固着して一体化されていることを特徴とする。
【００１１】
請求項３に記載の遮熱シートの取付構造は、固定具は板体を折曲してなることを特徴とする。
【００１２】
請求項４に記載の遮熱シートの取付構造は、遮熱シートを上記シャフトに固定するシート固定具を有した構造とされ、このシート固定具は、シャフトの胴部に遮熱シートを挟んだ状態で嵌合するシャフト嵌合体と、シャフト嵌合体を取り付けた状態でその外周部を固定するバンド体とよりなることを特徴とする。
【発明の効果】
【００１３】
請求項１に記載の遮熱シートの取付構造によれば、遮熱シートを巻回、固定するためのシャフトを固定するシャフト固定部と、コンテナハウスの屋根に固定される土台部とを有した固定具を備えているので、遮熱シートをコンテナハウスの屋根に簡単、確実に取り付けられる。特に、固定具は土台部がコンテナハウスの屋根にビス止め等にて固着されるようになっているため、突出ボルトやハゼ部がなくても確実に取り付けられる。また、土台部のビス止めされた取付部の上には水切りカバーが配設されるようになっているため、コンテナハウス内への水の浸入を確実に防止できる。
【００１４】
請求項２に記載の遮熱シートの取付構造によれば、シャフト固定部と、土台部とが別体に形成されているので、屋根上での取付作業や運搬、保管がしやすく利便性が高い。
【００１５】
請求項３に記載の遮熱シートの取付構造によれば、固定具が板体を折曲してなるため、固定具の製造がしやすく、製造コストの低廉化が図れる。
【００１６】
請求項４に記載の遮熱シートの取付構造によれば、シャフトの胴部に遮熱シートを挟んだ状態で嵌合するシャフト嵌合体と、シャフト嵌合体を取り付けた状態でその外周部を固定するバンド体とよりなるシート固定具を用いるため、遮熱シートをシャフトに確実に固定させることができる。
【図面の簡単な説明】
【００１７】
【図１】本発明の実施形態に係る遮熱シートの取付構造が採用されるコンテナハウスの要部正面図である。
【図２】同取付構造の分解斜視図である。
【図３】遮熱シートの取付状態を示すコンテナハウスの概略平面図である。
【図４】シャフト固定部の本体部の他例を示す斜視図である。
【図５】本発明の他の実施形態に係る遮熱シートの取付構造の要部正面図である。
【図６】図５に示した遮熱シートの取付構造に用いられる他の固定具の固定具本体の斜視図である。
【発明を実施するための形態】
【００１８】
以下に、本発明の実施の形態について、添付図面を参照しながら説明する。
【００１９】
図１は、本発明の実施形態に係る遮熱シートの取付構造が採用されるコンテナハウスの要部正面図である。図２は同取付構造の分解斜視図である。図３は、遮熱シートの取付状態を示すコンテナハウスの概略平面図である。
【００２０】
本実施形態における遮熱シート１０の取付対象は、図１、図３に示すように作業現場の現場事務所やトランクルーム等に使用されるコンテナハウス１の屋根である。
【００２１】
このコンテナハウス１の骨組は、柱と梁とを接合してなり、屋根の両端部には大梁が配設され、その間に小梁が架設され、その上に屋根材が葺かれた構造となっている。図１に示すように、大梁は屋根面よりもやや突出して端部突出部１ａを構成している。
【００２２】
本実施形態の遮熱シートの取付構造は、遮熱シート１０が、屋根上に架設、固定した円筒体よりなるシャフト３に固定、張設されるようになっており、そのシャフト３を固定するシャフト固定部３０と、土台部２０とを備えた固定具Ａを有した構造となっている。図１に示すように、この固定具Ａの土台部２０はコンテナハウス１の屋根面に固定されるようになっている。
【００２３】
本実施形態では、固定具Ａはシャフト固定部３０と、土台部２０とが別体に形成されている。
【００２４】
土台部２０（土台具）は、金属、合成樹脂等よりなる板体を折曲して形成されており、一方の端部には屋根の外郭形状に合致した倒Ｌ字形状の取付部２１が形成され、その取付部２１より折曲延出され、両側の載置部２３、２３に挟まれ、上げ底状に突出した、シャフト固定部３０を設置するための設置台部２２が形成されている。なお、取付部２１は屋根の端部外郭形状に合えばよく、倒Ｌ字形状には限定されない。
【００２５】
土台部２０は、取付部２１がコンテナハウス１の端部突出部１ａに嵌合取り付けされ、端部突出部１ａの上部に対してドリルねじ等でビス止めされて屋根に固着される。ビス止めされた取付部２１の上面にはビス止めによる固着部を覆うように水切りカバー２が載せ置かれ、その水切りカバー２の一端は取付部２１に隣接する載置部２３側に折り曲げられており、コンテナハウス１の外方に突出した他端はコンテナハウス１の側面に接するように折り曲げられて固定される。
【００２６】
このように、水切りカバー２が土台部２０の取付部２１のビス止め部位を覆っているので、コンテナハウス１の室内への水の浸入を防止できる。なお、土台部２０は接着剤によって屋根に固着してもよい。
【００２７】
また、土台部２０の設置台部２２の上には、遮熱シート１０を張り渡すためのシャフト３を、その両端部さらには中央部で固定するためのシャフト固定部３０（シャフト固定具）が固定される。
【００２８】
シャフト固定部３０は、金属、合成樹脂等よりなる板体を折曲加工して形成されており、所定間隔離間して起立した２枚の起立片３１、３１と、これらを側部で連結させた連結部３２と、土台部２０の設置台部２２にビスで取付固定するための取付片３３とよりなる本体部３０Ａ、および、シャフト３を本体部３０Ａに固定するためのＵ字ボルト３６、ナット３７により構成されている。なお、設置台部２２への取付片３３の固着は、ボルト、ナットによる螺合または接着剤による接着等であってもよい。
【００２９】
本体部３０Ａの起立片３１のそれぞれには、図１に示すように正面視で重なるように、連結部３２側を底部３１ａａ（図２参照）とした傾斜形状の切欠き嵌入凹所３１ａが形成されている。また、連結部３２には、図２に示すように、その切欠き嵌入凹所３１ａの底部３１ａａの上端よりもやや高い位置と、下端よりもやや低い位置にボルト孔３２ａ、３２ａが形成されている。なお、このボルト孔３２ａは取り付けしやすくするために長孔とすることが望ましい。
【００３０】
遮熱シート１０を張り渡すためのシャフト３は、シャフト側端部３ａがシャフト固定部３０の本体部３０Ａの切欠き嵌入凹所３１ａの底部３１ａａに嵌め入れられ、連結部３２に形成された上下のボルト孔３２ａ、３２ａを介して、Ｕ字ボルト３６の両ねじ部と、２つのナット３７、３７とを螺合することによって固定されるようになっている。
【００３１】
なお、本実施形態では、シャフト固定部３０と、土台部２０とが別体に形成されているが、シャフト固定部３０（の本体部３０Ａ）と、土台部２０とが一体に形成された固定具を用いてもよい。
【００３２】
一方、遮熱シート１０は、柔軟性、伸縮性を有するとともに、太陽熱、太陽光線等を反射する合成樹脂シートで構成されており、例えば本実施形態に示すように、太陽熱、太陽光線等を反射する、銀色等に着色した樹脂糸材を縦横に編んで形成した織物シートを好適に使用できる。
【００３３】
この遮熱シート１０は、屋根上に固定したシャフト３に巻回、固定され、コンテナハウス１の両端に架設したシャフト３、３間で張設されるようになっている（図３参照）。本実施形態では、シャフト３の胴部に直交する方向に帯状に長い遮熱シート１０が用いられている。なお、本実施形態で用いる遮熱シート１０は、図２、図３に示すように、幅方向の両端と中央を除く部分（クロスハッチングで示した部位）は縦横の樹脂糸材で編み込まれて目が詰まっているが、両端および中央は樹脂糸材（横糸１０ａ）を縦糸１０ｂで固定しないようにしている（図３の１点鎖線で囲んだ拡大部分平面図参照）。この中央部位はボルトの軸部等を挿通させることができる挿通部１１を構成している。
【００３４】
また、シャフト３は金属、合成樹脂等よりなる長尺筒体を使用すればよいが、一端を接合可能なようにすぼめた短筒体を、コンテナハウスの屋根寸法に合わせて繋いで使用してもよい。
【００３５】
ついで、遮熱シート１０のシャフト３への取付固定構造について具体的に説明する。
【００３６】
本実施形態では、シャフト嵌合体４１と、バンド体４２とよりなるシート固定具４０を用いて遮熱シート１０をシャフト３に固定するようにしている。なお図１では、シート固定具４０の図示を省略している。
【００３７】
遮熱シート１０はその長手方向の側端部がシャフト３に巻き付けられ、遮熱シート１０を挟み込むようにシャフト３の胴部の湾曲面にシャフト嵌合体４１を密着させ、さらにその外周部にバンド体４２を巻き付けることで遮熱シート１０を固定できるようになっている。
【００３８】
シャフト嵌合体４１は、長手寸法を遮熱シート１０の幅寸法とほぼ同寸法とした断面略半円弧状の湾曲板体よりなり、長手方向の中央部の両側端にはバンド体４２をシャフト３に巻き付けた後にバンド体４２が横ずれしないようにするための切欠き部４１ａが形成されている。
【００３９】
バンド体４２は、板状のリング体よりなり、その両端にはボルト４３、ナット４４で螺合固定するためのボルト挿通孔４２ａａ付きの取付片部４２ａが形成されており、弾性的に両取付片部４２ａ、４２ａを広げてシャフト３の胴部とシャフト嵌合体４１に嵌着できるようになっている。ボルト４３の軸部は遮熱シート１０の中央部位に形成された挿通部１１を貫通して、ナット４４と螺合する。なお、バンド体４２のボルト４３、ナット４４による取り付けは、ボルト４３のボルト頭を下にするほうが作業するうえで望ましい。また、バンド体４２はヒンジ構造にて開閉できるようにしてもよい。
【００４０】
このような遮熱シート１０のシャフト３への巻回、固定作業は、シャフト３を屋根上（シャフト固定部３０）へ固定する前、固定した後のいずれに行ってもよいが、遮熱シート１０を巻回して固定する構成であるため、シャフト３が屋根上で固定されて安定した状態にあるときに巻回作業を行うほうが望ましい。
【００４１】
遮熱シート１０は、以上のようにして、例えば図３のようにコンテナハウス１の屋根上に固定、張設される。なお、図３の例では遮熱シート１０間に隙間が空いているが、遮熱効果を上げるためには隙間をなるべく小さくするほうがよく、さらに遮熱シート１０はシャフト固定部３０に至るまで配してもよい。
【００４２】
以上のように、屋根上に架設したシャフト３に遮熱シート１０を固定、張設するために、シャフト３を固定するシャフト固定部３０と、コンテナハウス１の屋根に固定される土台部２０とを有した固定具Ａを備えているので、遮熱シート１０をコンテナハウス１の屋根に簡単、確実に取り付けられる。特に、固定具Ａは土台部２０がコンテナハウス１の屋根にビス止めされて固着されるようになっているため、突出ボルトやハゼ部がなくても確実に取り付けられる。また、土台部２０のビス止めされた取付部の上には水切りカバー２が配設される構成となっているため、固着部を介してコンテナハウス１の室内へ水が浸入することを防止できる。
【００４３】
また、シャフト３に対して遮熱シート１０を巻回、固定する構成となっているので、巻回の程度を調節することで遮熱シート１０の張力を調整することができる。特に本実施形態では、シャフト嵌合体４１でシャフト３の胴部との間に遮熱シート１０を挟み込んだ状態にして、さらに、その外周部をバンド体４２で固定する構造となっているため、遮熱シート１０をシャフト３に確実に固定させることができる。
【００４４】
図４は、図１〜図３に示した遮熱シートの取付構造に使用されるシャフト固定部３０の本体部３０Ａに代えて使用できるシャフト固定部の本体部の他例を示す斜視図である。なお、この図例における遮熱シートのシャフトへの取付構造は図１〜図４に示したものと同様である。
【００４５】
このシャフト固定部の本体部３０Ｂは、所定間隔を隔てて起立された２つの起立片３１、ボルト孔を有した連結部３２およびビス止めされる取付片３３、３３よりなる点、ならびにＵ字ボルト３６（図２参照）でシャフト３（図２参照）が固定される点は上記の例と同様であるが、本図例ではシャフト３を嵌め入れる切欠き嵌入凹所３１ａが起立片３１の上端より下方に向けてほぼ垂直に形成されている点で上記例と相違している。
【００４６】
図４に示した本体部３０Ｂを用いれば、シャフト３を嵌入するための開口が上部に形成されているのでシャフト３の取付作業がしやすく、さらに切欠き嵌入凹所３１ａの底部３１ａａからシャフト３が上方へ抜け出ることを阻止できる抜け止め防止突起を切欠き嵌入凹所３１ａの内側面に設ければ、Ｕ字ボルト３６でシャフト３を固定しなくてもよく、取付作業を迅速に行える。
【００４７】
図５は、本発明の他の実施形態に係る遮熱シートの取付構造の要部正面図である。図６は、この遮熱シートの取付構造に用いられる他の固定具の固定具本体の斜視図である。
【００４８】
本実施形態では、土台部２０と、シャフト固定部３０の起立片３１とが帯板により一体成形された固定具本体Ｂを用いている。すなわち、土台部２０は倒Ｌ字形状の取付部２１と、載置部２３とよりなり、一方、シャフト固定部３０は、載置部２３の端部より立ち上がり形成された、Ｕ字ボルト用のボルト長孔３１ｂを有した起立片３１、およびＵ字ボルト３６、ナット３７よりなる。この帯板状の固定具本体Ｂのコンテナハウス１への固定は、土台部２０の取付部２１を端部突出部１ａに対してビス止め等で固着することでなされる。この固着部の上には水切りカバー２が被せられている。
【００４９】
なお、遮熱シート１０をシャフト３に巻回、固定する構造は図１〜図３に示した実施形態と同様である。シート固定具４０（図２参照）についても同様の形状、構造のものが使用できるが、本図では図示を省略している。
【００５０】
この実施形態に示した固定具本体Ｂによれば、簡易な形状の固定具本体Ｂを備えているため、遮熱シート１０をコンテナハウス１の屋根にきわめて簡単に取り付けることができる。さらに、シャフト固定部３０を少ない部材で構成でき、また固定具本体Ｂは帯板状であり、幅寸法を小さくできるので（図６参照）、材料費を軽減でき、遮熱シート１０の設置作業の低コスト化が図れる。
【符号の説明】
【００５１】
１      コンテナハウス
２      水切りカバー
３      シャフト
１０      遮熱シート
１１      挿通部
Ａ      固定具
Ｂ      固定具本体
２０      土台部
２１      取付部
２２      設置台部
２３      載置部
３０      シャフト固定部
３０Ａ、３０Ｂ      本体部
３１      起立片
３１ａ      切欠き嵌入凹所
３１ｂ      ボルト長孔
３２      連結部
３２ａ      ボルト孔
３３      取付片
３６      Ｕ字ボルト
３７      ナット
４０      シート固定具
４１      シャフト嵌合体
４２      バンド体
４３      ボルト
４４      ナット
【図１】
0005309110.tif 000002
【図２】
0005309110.tif 000003
【図３】
0005309110.tif 000004
【図４】
0005309110.tif 000005
【図５】
0005309110.tif 000006
【図６】
0005309110.tif 000007